(57)【要約】      （修正有）【課題】液体と固形物とが同時に収容されている缶で、まず、小さく開けて液体を飲み、飲んだあとに残った固形物を大きく開けて完食できるようにした新規なプルトップ缶を提供する。【解決手段】缶本体２の上蓋３に、全開用の切開線４とその線に沿って切蓋するための全開プルタブ５と、部分開用の切開線６とその線に沿って切蓋するための部分開プルタブ７とを設けた。また、全開プルタブが、部分開プルタブの下に隠れており、部分開プルタブを開操作して液体口を開けなければ、全開プルタブを開操作して固形物口を開けることができないようにした。【選択図】図１
2009051511.tif 000002
【特許請求の範囲】
【請求項１】
缶本体の上蓋に、全開用の切開線とその線に沿って切蓋するための全開プルタブと、部分開用の切開線とその線に沿って切蓋するための部分開プルタブとを、ダブルで設けたことを特徴とするプルトップ缶。
【請求項２】
前記全開プルタブが、部分開プルタブの下に隠れてあることを特徴とする請求項１に記載のプルトップ缶。
【請求項３】
前記缶本体が、固形物をつまみ取るか掬い取る器具を備えていることを特徴とする請求項１または２に記載のプルトップ缶。
【発明の詳細な説明】
【技術分野】
【０００１】
本発明は、液体と固形物とが同時に収容され、先ず、液体を飲み、そのあとに残った固形物を完全に食べることのできるプルトップ缶に関するものである。
【背景技術】
【０００２】
従来のプルトップ缶は、コーヒーやジュース等の液体を入れるものには、部分開用の切開線とその線に沿って切蓋するための部分開プルタブを有し、シャケやツナなど主に固形物を入れるものには、全開用の切開線とその線に沿って切蓋するための全開プルタブを有していた。
【０００３】
近年、例えば、コーン粒入りコーンスープとか、小豆粒入りおしることか、果肉入りミカンジュースの如く、液体と固形物とを同時に収容した、飲み物といえるか、食べ物と言うべきかが明確に区別できないものも多く出回っている。このようなコーン粒入りコーンスープや小豆粒入りおしるこなどは、通常、液体として扱われ、コーヒーやジュース等と同様、部分開用の切開線とその線に沿って切蓋するための部分開プルタブが用いられている。
【発明の開示】
【発明が解決しようとする課題】
【０００４】
しかしながら、コーン粒入りコーンスープや小豆粒入りおしるこは、コーヒーやジュース等と同様に液体を飲むときは問題ないが、部分開した小さな開口では液体を飲んだあとに、固形物が残って仕舞うばかりでなく、残った固形物は開口面積が小さく、これより箸を入れて内容物を摘まみ取ったり、スプーンを入れて掬い取ったりすることが出来ず、従って、通常は、開口を口にあてながら缶を逆立ちさせて側面を叩くなどして固形物を無理やり口の中に落とし仕込む以外に食べる手段がなく、そのようにしても固形物を完全に口の中に落とし仕込むことが出来なかった。
【０００５】
一方、コーン粒入りコーンスープや小豆粒入りおしるこなどを、シャケ缶やツナ缶などと同様に、初めから全開用の切開線とその線に沿って切蓋するための全開プルタブにしておくことも考えられるが、開口面積が大きくなると、口の脇から液体がこぼれ易くなり、不便であった。
【０００６】
本発明は上記の問題を解消するためのもので、その目的とするところは、液体と固形物とが同時に収容されている缶で、先ず、小さく開けて液体を飲み、飲んだあとに残った固形物を大きく開けて完食できるようにしたプルトップ缶を提供する点にある。
【課題を解決するための手段】
【０００７】
上記目的を達成するため、本発明に係るプルトップ缶は、缶本体の上蓋に、全開用の切開線とその線に沿って切蓋するための全開プルタブと、部分開用の切開線とその線に沿って切蓋するための部分開プルタブとを、ダブルで設けたことを特徴とし、液体を飲むときは小さく開け、液体を飲んだあとに残った固形物は大きく開けて食べられるように構成した。
【０００８】
また、請求項２に記載の発明に係るプルトップ缶は、前記全開プルタブが、部分開プルタブの下に隠れてあることを特徴とし、部分開プルタブを開操作して液体口を開けなければ、全開プルタブを開操作して固形物口を開けることができないように構成した。
【０００９】
さらに、請求項３に記載の発明に係るプルトップ缶は、前記缶本体が、固形物をつまみ取るか掬い取るための器具を備え付けていることを特徴とし、液体を飲んだあとに残った固形物がすぐに食べられるように構成した。
【発明の効果】
【００１０】
本発明によれば、液体のみを飲むときは小さく開けて口脇からこぼし難くし、液体を飲んだあとに残った固形物を食べるときは大きく開けて食べ易くするという優れた効果を奏するものである。
【００１１】
また、請求項２に記載の発明によれば、部分開プルタブを開操作しなければ、全開プルタブが開操作できないため、先ず、液体を飲み、飲んだあとに残った固形物の完食まで開口を徐々に拡大できるという優れた効果を奏するものである。
【００１２】
さらに、請求項３に記載の発明によれば、液体を飲んだあとに残った固形物は備え付けの器具を使って完全に食べられるという優れた効果を奏するものである。
【発明を実施するための最良の形態】
【００１３】
次に、本発明の実施形態を図面に基づいて説明する。図１は本願缶の上蓋部分を略示的に示す斜視図、図２は本願缶の上蓋部分を略示的に示す断面図、図３は部分開プルタブを開けた場合の斜視図、図４は全開プルタブを開けた場合の斜視図である。
【００１４】
本願缶１は、缶本体２の上蓋３に、全開用の切開線４とその切開線４に沿って切蓋するための全開プルタブ５を設けるとともに、部分開用の切開線６とその切開線６に沿って開蓋するための部分開プルタブ７を設けてなる。すなわち、全開プルタブ５と部分開プルタブ７とを一つの缶本体２の上蓋３にダブルで設けたものである。
【００１５】
前記缶本体２は、前記上蓋３と、側面（ボディ）８と、下蓋９とで円筒形に形成され、たとえば、コーン粒入りコーンスープ、小豆粒入りおしるこ、果肉入りミカンジュース、果肉入りマンゴージュースなど、液体と固形物とが同時に収容された密封容器を構成している。勿論、液体と固形物との組合せは上記例に限らず、任意である。
【００１６】
前記缶本体２の上蓋３に形成された全開用の切開線４は、上蓋３の肉厚より深くならないＶ溝を蓋縁部３′に沿って円形に設けている。その切開線４に沿って切蓋するための全開プルタブ５は、嘴端５ａを切開線４の一点を指すように位置決めし、鋲５ｂで上蓋３に留めるとともに、摘まみ部５ｃが上蓋３の凹み部３″に対応するようにし、手指で摘まみ易く浮かせている。
【００１７】
前記部分開用の切開線６は、蓋縁部３′の一側寄りにほぼ楕円形に設けている。この場合も部分開プルタブ７は、嘴端７ａを前記切開線６のほぼ中央域の一点を指すように位置決めし、嘴端７ａの背面から延びた薄片７ａ′を鋲７ｂで上蓋３に留めるとともに、摘まみ部７ｃを、前記全開プルタブ５の摘まみ部５ｃの上に重なるように浮かせ、手指で摘まみ易くしている。換言すれば、前記全開プルタブ５は、前記部分開プルタブ７の下に隠れた状態になっている。勿論、部分開プルタブ７は、摘まみ部７ｃが鋲７ｂを中心に水平方向に回転でき、したがって、常に、部分開プルタブ７をあけなければ、全開プルタブ５を開操作できないという訳ではない。尤も、前記上蓋３の面積が大きければ、全開プルタブ５と部分開プルタブ７は重ならないようにすることも可能である。
【００１８】
前記上蓋３の蓋縁部３′に沿って円形に設けている全開用の切開線４は、エンドレスにはしていない。すなわち、切開線４の両端４′、４′は繋がっていない。これは全開プルタブ５の開操作で、切開線４に囲まれた切り片４″を上蓋３から完全に切り離さないためである。勿論、全開用の切開線４を円形にエンドレスに設け（図示せず）て切開線４に囲まれた切り片４″が上蓋３から完全に切り離されるように構成してもよい。また、部分開用の切開線６の場合も部分開プルタブ７の開操作で切開線６に囲まれた切り片６′を上蓋３から完全に切り離さないようにしても、完全に切り離すように構成してもよい。
【００１９】
前記缶本体２の側面８には、スプーン１０が透明袋１１に入れられて止着されている。このスプーン１０は液体を飲んだあとに残った固形物を大きく開けた開口より食べるときに透明袋１１を破って取り出しされる。該透明袋１１に収容するものはスプーン１０に限らず、箸や串やフォークやピンセットでも、その他の固形物を食べるために有効なものであれば何でもよい。
【００２０】
次に、本願缶１の作用について説明する。まず、上に重なっている、部分開プルタブ７を、その摘まみ部７ｃを摘んで鋲７ｂを支点として起こすと、嘴端７ａがテコの作用で切開線６のほぼ中央域の一点に集中して下向きに強く押すから切開線６から割れ（切れ）て切り片６′が下向きに折り曲げられる。この切り片６′の折り曲げにより上蓋３に出来た開口１２よりコーン粒入りコーンスープ、小豆粒入りおしるこ、果肉入りミカンジュース、あるいは果肉入りマンゴージュースなどの液体部分を飲むことが可能となる。
【００２１】
次に、液体を飲んだあとに缶本体２内に残ったコーン粒、小豆粒、果肉を食べるには、前記全開プルタブ５を、その摘まみ部５ｃを摘まみ起こすと、嘴端５ａが鋲５ｂとともに下向きに回動して切開線４上の一点を集中的に下向きに押し込むため、前記切開線４が割れ（切られ）て一部開口する。その後、摘まみ部５ｃを更に、上に向けて強く引くと、前記切開線４で囲まれた部分が上蓋３より開けられ、大きな開口１３となる。この結果、缶本体２内に残っているコーン粒、小豆粒、果肉等の固形物は、備え付けのスプーン１０を用いるか、身近にあるスプーンを使って食べることが出来るようになる。
【産業上の利用可能性】
【００２２】
本願缶１は、先ず、小さく開けて液体を飲み、液体を飲んだあとに残った固形物を大きく開けて完食できるようになるもので、液体と固形物とを同時に収容できるあらゆるものに広く応用でき、産業上の利用可能性が極めて大である。
【図面の簡単な説明】
【００２３】
【図１】本願缶の上蓋部分を略示的に示す斜視図である。
【図２】本願缶の上蓋部分を略示的に示す断面図である。
【図３】部分開プルタブを開けた場合の斜視図である。
【図４】全開プルタブを開けた場合の斜視図である。
【符号の説明】
【００２４】
１  本願缶
２  缶本体
３  上蓋
３′  蓋縁部
３″  上蓋の凹み部
４  全開用の切開線
４′  切開線の両端
４″  切り片
５  全開プルタブ
５ａ  嘴端
５ｂ  鋲
５ｃ  摘まみ部
６  部分開用の切開線
６′  切り片
７  部分開プルタブ
７ａ  嘴部
７ｂ  鋲
７ｃ  摘まみ部
８  側面（ボディ）
９  下蓋
１０  スプーン
１１  透明袋
１２  開口（液体口）
１３  開口（固形物口）
【図１】
2009051511.tif 000003
【図２】
2009051511.tif 000004
【図３】
2009051511.tif 000005
【図４】
2009051511.tif 000006